(57)【特許請求の範囲】
【請求項１】
被加工物に対して当接状態にて摺動される研磨手段と、この研磨手段に対して被加工物を当接させるように保持するキャリアとを備え、前記研磨手段と被加工物との間に研磨液を供給して研磨を行うようにした被加工物の平面研磨装置であって、
前記研磨手段は、被加工物を挟むように上下に配置された上定盤と下定盤からなり、
前記研磨手段の研磨面が平坦に形成されており、かつ、
前記キャリアは、前記研磨手段の研磨面に沿って前記研磨液を導く研磨液案内手段が設けられ、
前記下定盤に対して円周状に複数配置されるようにした円板状部材でなり、
表裏面に貫通し、所定の傾斜角で傾斜して設けた被加工物の保持孔と
表裏に貫通する複数の貫通孔とを有し、
各保持孔及び貫通孔が案内溝を介して他の保持孔及び貫通孔と連通している
ことを特徴とする、被加工物の平面研磨装置。
【請求項２】
前記キャリアは、前記下定盤に対して円周状に複数配置されるようにした円板状部材でなり、前記研磨液案内手段は、この円板状部材の中心から放射状に延びるように設けられた溝でなる請求項１に記載の被加工物の平面研磨装置。
【請求項３】
上下の定盤の間に配置されて、被加工物を保持するためのキャリアであって、
前記下定盤に対して円周状に複数配置されるようにした円板状部材でなり、
表裏面に貫通し、所定の傾斜角で傾斜して設けた被加工物の保持孔と
表裏に貫通する複数の貫通孔と
これらの貫通孔と連設された案内溝でなる研磨液の案内手段とを備えることを特徴とする、キャリア。
【請求項４】
前記円板状部材は、
表裏面に貫通し、所定の傾斜角で傾斜して設けた被加工物の保持孔と
表裏に貫通する複数の貫通孔とを有し、
各保持孔及び貫通孔が案内溝を介して他の保持孔及び貫通孔と連通している請求項３に記載のキャリア。
【請求項５】
前記貫通孔は、円盤状のキャリアの中心に形成された比較的大きな貫通孔と、
周縁部に形成された複数の貫通孔とを有し、
前記中心部の貫通孔から、周縁部の各貫通孔に向かって放射状の前記案内溝を設けた請求項4に記載のキャリア。
【請求項６】
前記保持孔は、セットされた被加工物の上下の端面をキャリアの表裏面にそれぞれ露出させて保持する構成としたことを特徴とする、請求項３ないし５のいずれかに記載したキャリア。
【発明の詳細な説明】
【０００１】
【発明の属する技術分野】
本発明は、被加工物を加工する加工装置に係り、特に、例えば硬質の被加工物の端面を損なうことなく面取り研磨できるようにした被加工物の平面研磨装置とこれに用いる被加工物のキャリアに関するものである。
【０００２】
【従来の技術】
図１３は、上述した硬質の被加工物の一例としての水晶振動片を示す概略斜視図である。
【０００３】
このような水晶振動片１は、表面に必要な電極を設けて駆動電圧を印加することにより、その圧電作用により所定の振動を起こすことを利用した圧電振動片として、圧電発振器等の電子部品を構成するのに用いられている。
【０００４】
図１４乃至図２０は、このような水晶振動片を製造する工程を順次示した概略説明図である。
【０００５】
先ず、人工水晶の結晶から図１４に示すような矩形状の水晶ウエハを切り出す。次に図１５に示されているように、複数枚の水晶ウエハの主面どうしが重なり合うようにし、両側にガラス板３，３を配置して接着剤等により固定し、図１６に示すようにブロック化したウエハブロック４を形成する。
【０００６】
このウエハブロック４は、図１７に示すように、切断線５によって複数に切断されて、図１８に示す小ブロック６を得る。そして、図１９（ａ）に示すように、複数の小ブロック６を貼り合わせた後に、切断線７に沿って再度切断されて、図１９（ｂ）に示すように加工用ブロック８を形成する。
【０００７】
この加工用ブロック８を加工単位として、その角部９を研磨する加工を行い、図１３に示した個々の水晶振動片１に切り離した時に、図１３の点線で示した角部が削られた状態とするようにしている。
【０００８】
そして、従来では、このような加工用ブロック８の端面加工は、例えば、作業者が所定の治具にセットしたこの加工用ブロック８を、回転する定盤に対して押し当てるといった手作業により行っていた。
【０００９】
【発明が解決しようとする課題】
しかしながら、このような手作業においては、加工用ブロック８を所定の治具にセットするのに、精密な位置合わせを必要とし、時間がかかる。また、研磨作業自体も加工用ブロック８の１コーナー毎に行う必要があり、全部で４つのコーナーの加工が必要となり工数が多く、しかも作業者の熟練を要する上に、面取り状態に作業者毎のばらつきを生じやすいという問題があった。
【００１０】
このため、例えば、図２０に示すように、円筒状の内面に加工用ブロック８を入れて、軸方向を中心として回転させる研磨手段Ｐ（「パイプ」と呼ぶ）にて、機械による面取り加工も行われている。このようにすれば、手作業で行うより容易であるが、このような装置により端面の面取り加工を行うと、加工用ブロック８のコーナーの当たり量は、この加工用ブロック８の中央部と両端部とでは、パイプの円筒状内面に対する当たり具合が異なることによって、加工状態が不揃いとなるし、一つの水晶振動片に着目しても面取り状態が異なるという問題がある。
【００１１】
ところで、水晶ウエハ等の主面を研磨する研磨装置としては、上記とは異なるものが用いられている。
【００１２】
このような研磨装置１０は、例えば図２１に示すように構成されている。
【００１３】
図２１は、研磨装置１０の要部の構成を示したもので、被加工物１１は、キャリア１２により保持された状態で、研磨手段である上下の各定盤１３，１４により上下方向から挟まれた状態で研磨されるようになっている。
【００１４】
このような研磨装置１０によれば、被加工物１１は、図２１の矢印に示す方向から加工圧力を受けながら、上下の各定盤１３，１４との間で図示しない駆動手段により相対的に回転され、被加工物１１は、各定盤１３，１４に対して、その上下面を当接させつつ摺動することになる。そして、上下の各定盤１３，１４の研磨面と被加工物の被研磨面との間には、研磨液が供給され、これに混入された砥粒１５が介在して、研磨加工されるようになっている。
【００１５】
このような研磨装置１０では、被加工物１１は、図２２に示すように、円板状のキャリア１２に形成された保持孔内に保持される。このキャリア１２を上下に挟むように設けられる上下の定盤１３，１４は、図２３に示すように、円板状に同じ形態で構成され、その主面が研磨面として、被加工物１１に当接した状態で、回転されるようになっている。
【００１６】
そして、図２３に示すように、各定盤１３，１４の研磨面には、溝１３ａ，１４ａが設けられており、研磨装置１０の図２２に示す上定盤の貫通孔（図示せず）を介して供給される研磨液を導いて、砥粒１５が図２１に示すように、研磨面と被加工物１１の被研磨面との間に入り込むようにされている。
【００１７】
ところが、このような研磨装置１０によれば、例えば水晶ウエハの主面のような平面部分を研磨する場合には問題がないが、図１９に示した加工用ブロック８の角部９のような箇所を研磨しようとすると、定盤１３，１４に設けられた溝１３ａ，１４ａが角部９に衝撃を加えることになり、特に硬質の被加工物の場合には、欠けたり、割れたりして損傷を与えてしまうという問題がある。
【００１８】
この発明は上述のような課題を解決するためになされたもので、作業が簡単で精度良く加工でき、しかも硬質の被加工物に対して損傷を与えることなくその端面を加工できる、被加工物の平面研磨装置とこれに利用される被加工物を保持するためのキャリアを提供することを目的とする。
【００１９】
【課題を解決するための手段】
上記目的は、請求項１の発明によれば、被加工物に対して当接状態にて摺動される研磨手段と、この研磨手段に対して被加工物を当接させるように保持するキャリアとを備え、前記研磨手段と被加工物との間に研磨液を供給して研磨を行うようにした被加工物の平面研磨装置であって、前記研磨手段は、被加工物を挟むように上下に配置された上定盤と下定盤からなり、前記研磨手段の研磨面が平坦に形成されており、かつ、前記キャリアは、前記研磨手段の研磨面に沿って前記研磨液を導く研磨液案内手段が設けられ、  前記下定盤に対して円周状に複数配置されるようにした円板状部材でなり、表裏面に貫通し、所定の傾斜角で傾斜して設けた被加工物の保持孔と表裏に貫通する複数の貫通孔とを有し、各保持孔及び貫通孔が案内溝を介して他の保持孔及び貫通孔と連通していることを特徴とする、被加工物の平面研磨装置により、達成される。
【００２０】
請求項１の構成によれば、研磨手段の研磨面は平坦に形成されているから、被加工物に対して、衝撃を与えることがなく、このため被加工物が損傷を受けることがない。
【００２１】
しかも、キャリアには、研磨手段の研磨面に沿って前記研磨液を導く研磨液案内手段が設けられているので、研磨手段の研磨面と被加工物との間に適切に研磨用の砥粒を導くことができる。
【００２４】
請求項２の発明は、請求項１の構成において、前記キャリアが、前記下定盤に対して円周状に複数配置されるようにした円板状部材でなり、前記研磨液案内手段は、この円板状部材の中心から放射状に延びるように設けられた溝でなることを特徴とする。
【００２５】
また、上記目的は、請求項３の発明によれば、上下の定盤の間に配置されて、被加工物を保持するためのキャリアであって、前記下定盤に対して円周状に複数配置されるようにした円板状部材でなり、表裏面に貫通し、所定の傾斜角で傾斜して設けた被加工物の保持孔と表裏に貫通する複数の貫通孔と、これらの貫通孔と連設された案内溝でなる研磨液の案内手段とを備える、キャリアにより、達成される。
【００２６】
請求項３の構成によれば、傾斜した保持孔により、被加工物を斜めに保持してその端面を研磨面に向けることができる。また、表裏に貫通した貫通孔を介して上から供給される研磨液を裏側に導き、さらに案内溝によって拡げるように導くことができる。
【００２７】
請求項４の発明は、請求項３の構成において、前記円板状部材が、表裏面に貫通し、所定の傾斜角で傾斜して設けた被加工物の保持孔と表裏に貫通する複数の貫通孔とを有し、各保持孔及び貫通孔が案内溝を介して他の保持孔及び貫通孔と連通していることを特徴とする。
【００２８】
請求項５の発明は、請求項４の構成において、前記貫通孔は、円盤状のキャリアの中心に形成された比較的大きな貫通孔と、周縁部に形成された複数の貫通孔とを有し、前記中心部の貫通孔から、周縁部の各貫通孔に向かって放射状の前記案内溝を設けたことを特徴とする。
【００２９】
請求項５の構成によれば、請求項５の作用に加えて、キャリアが自転する場合には、中心貫通孔から、周囲にむかって放射状の前記案内溝により放射状に拡散するように研磨液を導くことができる。
【００３０】
請求項６の発明は、請求項３ないし５の構成において、前記保持孔は、セットされた被加工物の上下の端面をキャリアの表裏面にそれぞれ露出させて保持する構成としたことを特徴とする。
【００３１】
請求項６の構成によれば、請求項２または５の作用に加えて、被加工物の上端面を上定盤で、下側端面を下定盤で同時に研磨させるように保持することができる。
【００３２】
【発明の実施の形態】
以下、本発明の好適な実施の形態を添付図面を参照して説明する。
【００３３】
図１は、本発明の被加工物の平面研磨装置（以下、「平面研磨装置」という）の外観を示す概略斜視図である。
【００３４】
図において、平面研磨装置２０は、基台３２上に起立する支柱２３を備えており、支柱２３の上部には、アーム２２が取付けられている。アーム２２は、水平に延びていて、その先端部にはシリンダ２１が設けられており、シリンダ２１の下方に延びる支軸３５により、後述する研磨液供給手段２５と、その下に同軸上に配置された円盤状の上定盤２６を支持している。シリンダ２１と上定盤の間には、図示しない加工圧力の調整手段が設けられている。そして、このシリンダ２１の動作により、研磨液供給手段２５と上定盤２６を図において上下に進退させるようになっている。
【００３５】
ここで、上記研磨液供給手段２５には、後述するように研磨液が貯留されるようになっており、この研磨液は、アーム２２側から複数のパイプ３３を介して研磨液供給手段２５に導かれるようになっている。研磨液供給手段２５からは、上定盤２６に延びる複数のパイプ３４を介して研磨液が供給される。上定盤２６には、複数の貫通孔が形成されており、各貫通孔に対して、パイプ３４が接続されることにより、この上定盤２６の下面側に研磨液が供給されるようになっている。
【００３６】
一方、基台３２上には、図２に示すように、上定盤２６の中心軸と同心状にサンギア（太陽ギア）２８が設けられており、また、定盤２６の中心軸と同心状にて、下定盤２７の周囲にインターナルギア３１が設けられている。サンギア２８とインターナルギア３１は基台３２内に設けられたそれぞれ独立して駆動される駆動手段により回転駆動される。
【００３７】
このサンギア２８と同心状に、上記上定盤２６とほぼ同じ外形の円盤状でなる下定盤２７が設けられている。キャリア２９は、円盤状であり、後述するようにその周囲には歯車状に歯が形成されていて、これらのキャリア２９は、下定盤２７に載置固定される。そして、キャリア２９の周囲の歯は上記サンギア２８とインターナルギア３１とに歯合し、サンギア２８及びインターナルギア３１の回転によってサンギア２８に対して自転及び公転するようになっている。
【００３８】
また、上定盤２６と下定盤２７はサンギア２８やインターナルギア３１とはそれぞれ独立して駆動されるので、キャリア２９は複雑な運動軌跡を描くことになり、キャリア２９に保持した被加工物に対して偏りのない研磨加工を行うことができる。
【００３９】
そして、基台３２に隣接して操作盤２４が設けられており、平面研磨装置２０の操作を指令できるようになっている。
【００４０】
図２は、図１の平面研磨装置２０の要部を示す部分断面図である。
【００４１】
上述したように、シリンダ２１の動作により上定盤２６は下降されると、この上定盤２６と下定盤２７の間にキャリア２９を挟み込む状態となる。この場合、上定盤２６と下定盤２７との間隔は、キャリア２９に保持された加工用ブロック８の上に上定盤２６が当接し、加工用ブロック８の下に下定盤２７が当接するように設定されている。
【００４２】
図３は、上下の各定盤２６，２７の構成を示す概略斜視図である。上定盤２６と下定盤２７とはほぼ同じ構成であり、上定盤２６には、研磨液供給用のパイプ３４が接続される貫通孔２６ａが形成されている。
【００４３】
本実施形態では、図示されているように、上定盤２６の研磨面２６ｂと下定盤２７の研磨面２７ｂには、従来構成として図２３で説明した溝が形成されておらず、平坦になっている点に特徴がある。
【００４４】
図４乃至図１１は、キャリア２９の構成を説明するための図である。
【００４５】
これらの図において、図４は、キャリア２９の上面図、図５はキャリア２９の下面図、図６はキャリア２９を上から見た斜視図、図７は図６のキャリア２９の保持孔に加工用ブロックを保持する様子を示す図、図８はキャリア２９を下から見た斜視図、図９は図８のキャリア２９の保持孔に加工用ブロックを保持する様子を示す図、図１０は、キャリア２９を上から見た場合に、裏側に位置する研磨液の供給手段を点線で示した図であり、図１１は、図１０のＡ−Ａ断面図である。
【００４６】
これらの図を適宜参照しつつキャリアの構成を説明する。
【００４７】
キャリア２９は、形状加工性がよく、錆びにくく、被加工物を傷つけにくい性質を有する材料で形成されており、例えば、プラスチック材料である塩化ビニル、ガラスエポキシ等の板材が適している。
【００４８】
図４に示すように、キャリア２９は、周囲に平面研磨装置２０のサンギア２８とインターナルギア３１とに歯合する歯２９ａが形成された円盤状に構成されており、中心に大きな貫通孔４１が設けられているとともに、周縁部には、等間隔で設けられた４つの比較的大きな貫通孔４２，４３，４４，４５と、これらの間にやや小さい径で形成されたさらに４つの貫通孔４６，４７，４８，４９とを備えている。
【００４９】
また、キャリア貫通孔４１の図４において左右対称にひとつずつ縦方向に延びるように、加工用ブロックを保持するための保持手段としての保持孔５３，５４が設けられている。さらに、キャリア貫通孔４１の図４において上下対称に３つづつ横方向に延びるように、加工用ブロックを保持するための保持手段としての保持孔５１，５１，５１及び５２，５２，５２が設けられている。
【００５０】
これらの保持孔５１，５１，５１及び５２，５２，５２は、図１１の断面図に示されているように、キャリア２９の貫通孔４１の中心を通る仮想の垂直線に対して、孔が形成される向きである角度θが、好ましくは４５度となるように設けられている。このθは、後述する加工用ブロックの端面研磨角度に対応して定められている。
【００５１】
また、キャリア２９の裏側には、図５及び図１０，図１１によく表れているように、研磨液案内手段としての案内溝が形成されている。案内溝は、貫通孔４１を中心として放射状に形成されており、具体的には、案内溝は、貫通孔４１と貫通孔４２をつなぐ案内溝６７、貫通孔４１と貫通孔４９をつなぐ案内溝６８、貫通孔４１と貫通孔４５をつなぐ案内溝６１、貫通孔４１と貫通孔４８をつなぐ案内溝６２、貫通孔４１と貫通孔４４をつなぐ案内溝６３、貫通孔４１と貫通孔４７をつなぐ案内溝６４、貫通孔４１と貫通孔４３をつなぐ案内溝６５、貫通孔４１と貫通孔４６をつなぐ案内溝６６で構成されている。
【００５２】
このように、各案内溝は、キャリア２９の少なくとも裏側には形成されて（図１１参照）、いるので、後述するように、キャリア２９を平面研磨装置２０にセットしたときに、上定盤２６から供給される研磨液が各貫通孔，特に貫通孔４１からキャリア２９の裏側に導入されたとき、これを円盤の全域に均一に導くことができるようになっている。
【００５３】
図７及び図９は、それぞれ，図６と図８にて破線の丸で囲んで示したひとつの保持孔５４に対して、加工用ブロック８を差し込んで保持する様子を表側（図７）と裏側（図９）からそれぞれ示す工程図である。
【００５４】
加工用ブロック８は、保持孔５４に差し込まれると、この実施形態の場合、４５度に傾斜した状態にて上端側と下端側の端面を露出して保持される。この結果、図１２に示すように、加工用ブロック８は、上定盤２６の研磨面２６ｂと、下定盤２７の研磨面２７ｂに対して、加工されるべき上下の端面である上下の被研磨面を当接させるようにキャリア２９に保持されることになる。
【００５５】
本実施形態は、以上のように構成されており、次に平面研磨装置２０の動作を説明する。
【００５６】
先ず、キャリア２９に加工用ブロック８をセットする。つまり、キャリア２９の保持孔５１，５１，５１，５２，５２，５２，５３，５４の全ての保持孔に、合計８個の加工用ブロック８をセットし、各保持孔において、図１２に示すように、加工用ブロック８の上下の端面が４５度の角度で露出するように保持させる。この状態でキャリア２９は、図１の下定盤２７の上面に複数個保持される。
【００５７】
次に、図１において、平面研磨装置２０のシリンダ２１の動作により、上定盤２６が下降させると、図２に示すように、キャリア２９に保持された下降用ブロック８の上下の端面は、上定盤２６の研磨面２６ｂと下定盤２７の研磨面２７ｂとにそれぞれ上下からはさまれるように当接される。
【００５８】
この状態で、シリンダ２１の動作により上方から加工用圧力をくわえながら、研磨を行う。すなわち、サンギア２８かインターナルギア３１の少なくとも一方が回転し、上下定盤２６，２７もそれぞれ回転するので、サンギア２８とインターナルギア３１とに歯合するキャリア２９は、サンギア２８に対して自転と公転し、上下定盤２６，２７に対して複雑な軌跡を描いて相対的に摺動される。
【００５９】
この動きと同時に、研磨液供給手段２５に貯留されている研磨液がパイプ３４を介して上定盤２６の貫通孔２６ａに供給される。この研磨液は、図２に矢印で示されているように、上定盤２６の下面である研磨面２６ｂに沿って、上記上定盤２６とキャリア２９との公転及び自転運動に基づく褶動作用によって拡がることで、研磨面２６ｂと加工用ブロック８の上端の端面（被研磨面）との間に砥粒を供給する。そして、この研磨液は、さらに、キャリア２９の中心にある大きな貫通孔４１と周縁部に等間隔で設けられた４つの比較的大きな貫通孔４２，４３，４４，４５と、これらの間にやや小さい径で形成されたさらに４つの貫通孔４６，４７，４８，４９からキャリア２９の裏側に導かれる。このキャリア２９の裏側では、これらの貫通孔をむすぶように、研磨液の案内手段としての案内溝６１等の各案内溝が形成されているので、加工用ブロック８の下側の端面（被研磨面）と研磨面２７ｂとの間に研磨用の砥粒を供給することができる。
【００６０】
これにより、複数の（この場合８つ）の加工用ブロック８は、上下の２つの端面を同時に研磨されることになり、この端面は、定められた角度，たとえば本実施形態の場合には、正確に４５度の角度で研磨される。そして、研磨後は、キャリア２９から加工用ブロック８を取り出して裏返し、未加工の端面を露出させるようにセットして、上述の作業をもう一度行うことにより、２回の作業で加工用ブロック８の４箇所の全ての端面を加工することができる。
【００６１】
このため、従来、手作業で研磨していた場合と比べると、極めて多数の加工用ブロック８を同時に研磨することができ、しかも２回の作業ですべての端面の研磨が終了するので、ひとつ当たりの研磨作業に要する時間を大幅に削減することができる。
【００６２】
さらに、加工用ブロック８の各端面は、キャリア２９により保持された同一の角度で精密の研磨されることから、従来のパイプを用いた加工機と比べると、加工精度を格段に向上させることができる。また、専用の治具を用いて手作業の研磨をしていた場合と比べると、治具へのセットに熟練を要することなくできるので、作業者の負担が軽く、特別の技術を必要としないで精密な加工を行うことができる。
【００６３】
かくして、被加工物が水晶振動片である場合に、この水晶振動片は、圧電発振器等の製品とされた状態においては、一端が固定され、他端が自由端として、ケース内に方持ち形式に保持される。このため、外部から衝撃が加わると、この自由端側が最も大きな振幅で振れることになる。この場合、水晶振動片が収容されるケースは、筒状のものが広く用いられている。この筒状のケースの内面は、外に凸となった曲面であることから、内部に収容されている板状の水晶振動片の自由端が振れた場合には、この自由端の幅方向両端の角部が衝突することになる。しかしながら、上述のような研磨により、この両角部が面取りされていることにより、このような衝突を避けることができる。
【００６４】
特に、小型の水晶発振器においては、小型化のために、ケースと内部に収容される水晶振動片とのクリアランスが小さい場合に、外部からの衝撃に基づく上記衝突が起きる可能性があり、このような場合に特に有効で、水晶振動片の両角部が面取りされていると、上述のような衝突により、水晶振動片の先端部が欠けを生じることがない。
【００６５】
また、このような場合には、容器（ケース）の内面形状や水晶振動片の長さ、あるいは振動片の幅等が上記面取り加工の角度決定のパラメータとなる。本実施形態では、このようなパラメータに基づいて決定された理想的な角度に基づいて面取り加工を正確に行うことができるので、耐衝撃性に特に優れた水晶振動子を形成することができる。
【００６６】
さらに、所謂コンベックス形状の水晶振動片を得る場合に、従来のように所謂バレル加工を利用すると、水晶振動片の角部には、割れや欠け、あるいはピッチング等の不具合が生じる場合がある。そして、このような不具合は、バレル加工による歩留りを低下させるだけではなく、水晶振動子の耐衝撃性も低下させることになるが、本実施形態では、このような不具合が生じることがない。
【００６７】
また、加工用ブロック８の端面は、平坦な定盤の研磨面に当接して褶動することになるため、従来のように、溝を設けた定盤による研磨と比べると、硬質のもろい材料でなる加工用ブロックの端面を衝撃により破損するおそれがなく、安全に精密加工することができる。
【００６８】
本発明は上述の実施形態に限定されない。
【００６９】
例えば、キャリアに設ける案内溝は、キャリアの表裏両面に設けてもよい。
【００７０】
また、キャリアの大きさに応じて、保持孔を数を増減してもよい。また、貫通孔と案内溝との関係において、それぞれ位置変更を行ってもよい。
【００７２】
また、本実施形態の加工装置による被加工物は、水晶に限らず、これと同様に硬くもろい性質を有するあらゆる被加工物に適用することができる。
【００７３】
【発明の効果】
以上述べたように、請求項１の発明によれば、作業が簡単で精度良く加工でき、しかも硬質の被加工物に対して損傷を与えることなくその端面を加工できる、被加工物の平面研磨装置を提供することができる。
【００７４】
また、請求項２の発明によれば、従来装置を利用して、比較的簡単に請求項１の効果を発揮する平面研磨装置を構成することができる。
【００７５】
また、請求項３または４の発明によれば、請求項１または３の平面研磨装置において、研磨用の砥粒を供給する研磨液を適切に研磨面に導く構成とすることができる。
【００７６】
請求項５の発明によれば、キャリアに設けた傾斜した保持孔により、被加工物を斜めに保持してその端面を研磨面に向けることができる。また、表裏に貫通した貫通孔を介して上から供給される研磨液を裏側に導き、さらに案内溝によって拡げるように導くことができるので、請求項１の平面研磨装置に最適なキャリアを提供することができる。
【００７７】
請求項６の発明によれば、請求項５の効果に加えて、キャリアの保持孔及び貫通孔により、研磨液をキャリアの表裏に導くことができる。
【００７８】
請求項７の発明によれば、請求項５の効果に加えて、キャリアが自転する場合には、中心貫通孔から、周囲にむかって放射状の前記案内溝により放射状に拡散するように研磨液を導くことができる。
【００７９】
請求項８の発明によれば、請求項５ないし７の効果に加えて、被加工物の上端面を上定盤で、下側端面を下定盤で同時に研磨させるように保持することができるので、その分被加工物の加工時間を短縮することができる。
【図面の簡単な説明】
【図１】  本発明の被加工物の平面研磨装置の外観を示す概略斜視図。
【図２】  図１の平面研磨装置の要部を示す概略部分断面図。
【図３】  図１の平面研磨装置の定盤を示す概略斜視図。
【図４】  図１の平面研磨装置のキャリアの上面図。
【図５】  図１の平面研磨装置のキャリアの下面図。
【図６】  図１の平面研磨装置のキャリアを上から見た斜視図。
【図７】  図６のキャリアの保持孔に加工用ブロックを保持する様子を示す図。
【図８】  図１の平面研磨装置のキャリアを下から見た斜視図。
【図９】  図８のキャリアの保持孔に加工用ブロックを保持する様子を示す図。
【図１０】  図１の平面研磨装置のキャリアを上から見た場合に、研磨液を裏面全体へ均一に供給するための供給手段（溝）を点線で示した図。
【図１１】  図１０のＡ−Ａ線断面図。
【図１２】  キャリアの保持した被加工物と上定盤及び下定盤の各研磨面との関係を示す図。
【図１３】  硬質の被加工物の一例としての水晶振動片の形状を示す概略斜視図。
【図１４】  水晶ウエハを示す概略斜視図。
【図１５】  水晶ウエハから水晶振動片を加工する工程を示す図。
【図１６】  水晶ウエハから水晶振動片を加工する工程を示す図。
【図１７】  水晶ウエハから水晶振動片を加工する工程を示す図。
【図１８】  水晶ウエハから水晶振動片を加工する工程を示す図。
【図１９】  水晶ウエハから水晶振動片を加工する工程を示す図。
【図２０】  加工用ブロックの研磨作業の一例を示す説明図。
【図２１】  研磨装置の一例を示す要部概略図。
【図２２】  研磨装置の構成の一部を示す要部概略図。
【図２３】  図２１の研磨装置の定盤の構成を示す概略斜視図。
【符号の説明】
２０    （被加工物の）平面研磨装置
２５    研磨液供給手段
２６    上定盤
２７    下定盤
２８    サンギア
２９    キャリア
３１    インターナルギア
４１，４２，４３，４４，４５，４６，４７，４８，４９    貫通孔
５１，５２，５３，５４        保持孔
６１，６２，６３，６４，６５，６６，６７，６８      研磨液案内手段
【図１】
0003804332.tif 000002
【図２】
0003804332.tif 000003
【図３】
0003804332.tif 000004
【図４】
0003804332.tif 000005
【図５】
0003804332.tif 000006
【図６】
0003804332.tif 000007
【図７】
0003804332.tif 000008
【図８】
0003804332.tif 000009
【図９】
0003804332.tif 000010
【図１０】
0003804332.tif 000011
【図１１】
0003804332.tif 000012
【図１２】
0003804332.tif 000013
【図１３】
0003804332.tif 000014
【図１４】
0003804332.tif 000015
【図１５】
0003804332.tif 000016
【図１６】
0003804332.tif 000017
【図１７】
0003804332.tif 000018
【図１８】
0003804332.tif 000019
【図１９】
0003804332.tif 000020
【図２０】
0003804332.tif 000021
【図２１】
0003804332.tif 000022
【図２２】
0003804332.tif 000023
【図２３】
0003804332.tif 000024